(57)【特許請求の範囲】
【請求項１】
ハンドルを正逆方向に回転することにより障子の框に設けた施錠又は引寄せ用の運動伝達部材を進退させるためのハンドル駆動装置において、
ハンドルと、
前記運動伝達部材と係合する出力部材と、
ハンドルと出力部材間に設けられ、ハンドルの回動範囲の一方の回動の限度側にのみ一定の範囲ハンドルが回動しても空転して前記出力部材にハンドルから運動が伝達されず、ハンドルの前記一定の範囲を除く残りの回動範囲でハンドルが回動することにより前記出力部材にハンドルから運動が伝達される間欠運動機構と、
を有することを特徴とするハンドル駆動装置。
【請求項２】
前記出力部材に運動が伝達されないハンドルの回動角度はほぼ４５度である請求項１に記載のハンドル駆動装置。
【発明の詳細な説明】
【０００１】
【発明の属する技術分野】
本発明は障子の施錠（締り）又は引き寄せを行う部材を駆動するためのハンドルによる駆動を行うハンドル駆動装置に関する。
【０００２】
【従来の技術】
従来、引き障子、開き障子では召合せ框又は堅框等の竪方向の框に、この框に沿って移動するスライドバー又はロッド（リンク）を設け、このスライドバー又はロッドを上下してスライドバー又はロッド上端の施錠部材又は引寄せ部材或は両機能を有する部材を窓枠の上枠又は下枠に係合して障子の施錠又は引寄せもしくは両方を行うようにしている。
【０００３】
図１６は従来の操作ハンドルを示す。ハンドル１は回動軸１ａを中心に１８０度回動する。そして回動軸１ａから下向きとなった実線のハンドル１の位置が障子の閉状態（引寄せ状態）で上向きとなった点線のハンドル１の位置が障子を開閉できる位置である。
【０００４】
そして図１６に示すようにハンドル１が下向きで竪方向の框に沿って重った位置▲１▼から回動軸１ａを中心に反時計回りに回動すると、位置▲２▼まではハンドル１は空回りをして回動軸１ａから先の障子の施錠又は引寄せを行う部材へはハンドル１の回転力に基づく動きは伝わらない。即ち、前述のスライドバー又はロッドには作用しないようになっている。そして位置▲２▼から位置▲４▼まではハンドル１の回転によりスライドバー又はロッドが上下動し解錠又は引寄せの解除もしくはこれら両者が行われる。そして位置▲４▼でハンドル１は障子の竪方向の框に沿って重なる。
【０００５】
障子開状態から閉状態は上記と逆にハンドル１が上向きで竪方向の框に沿って重った位置▲４▼から回動軸１ａを中心に時計回りに回動すると、位置▲３▼まではハンドル１は空回りをしてスライドバー又はロッドへはハンドル１の回転力は伝わらない。そして位置▲３▼から位置▲１▼まではハンドル１の回転により前述のスライドバー又はロッドが上下動し施錠又は引寄せもしくはこれら両者が行われる。そして位置▲１▼でハンドル１は障子の竪方向の框に沿って重なる。
【０００６】
上述においてハンドルを開方向に位置▲１▼から▲２▼まで回転する角度は約４５度である。ハンドルを閉方向に位置▲４▼から▲３▼まで回転する角度は約４５度である。
【０００７】
【発明が解決しようとする課題】
従来の技術は、ハンドルを回動し始めの力が小さく力が入れ易い位置で施錠、解錠などが行われる点でハンドル駆動装置としてはすぐれたものである。
【０００８】
本発明は上記従来の技術を更に発展させたものである。上述従来の技術であるとハンドル開（解錠状態）からハンドル閉（施錠状態）にハンドルを回動する始めは軽い力で回転し得る。従って、これを承知している者にとっては丁度力を加え易い位置からハンドルが重くなるから都合がよい。
【０００９】
処が、上述のようにハンドル開からハンドルを回動する始めに力をほとんど必要としないことは外観からは分らない。そこで、施錠するには力を加えるべきだと考えてハンドル位置▲４▼から時計回りに力強く回動するということが生ずる。そこで、ハンドル位置▲４▼から▲３▼まで勢いよくハンドルを回動するということが生ずると、ハンドル位置▲３▼において、内部の構成部材に対して必要以上衝撃的に荷重が加わり、内部構成部材の耐久性を損ったり、破損したりすることがある。
【００１０】
本発明は施錠又は引寄せ装置に用いられるハンドル駆動装置において、施錠又は引寄せ操作を開始する際にはハンドルの空回りがないことにより装置の破損を防止すると共に施錠又は引寄せを解除する際はハンドルを操作し易い位置まで空回りした後に施錠又は引寄せが行われるハンドル駆動装置を提供することを目的とする。
【００１１】
【課題を解決するための手段】
本出願に係る第１の発明はハンドルを正逆方向に回転することにより障子の框に設けた施錠又は引寄せ用の運動伝達部材を進退させるためのハンドル駆動装置において、ハンドルと、前記運動伝達部材と係合する出力部材と、ハンドルと出力部材間に設けられ、ハンドルの回動範囲の一方の回動の限度側にのみ一定の範囲ハンドルが回動しても空転して前記出力部材にハンドルから運動が伝達されず、ハンドルの前記一定の範囲を除く残りの回動範囲でハンドルが回動することにより前記出力部材にハンドルから運動が伝達される間欠運動機構と、を有することを特徴とするハンドル駆動装置である。
【００１２】
本出願に係る第２の発明は前記出力部材に運動が伝達されないハンドルの回動角度はほぼ４５度である第１の発明に記載のハンドル駆動装置である。
【００１６】
【発明の実施の形態】
以下、図面に従って本発明の実施の形態を説明する。全体を符号Ａで示すハンドル駆動装置は障子の竪方向の框、例えば両開き扉又は引違い障子の召合せ框２に小ねじ３により固定されている。
【００１７】
ハンドル駆動装置Ａはハンドル４を入力部としピン１６ｃを出力部とする。そしてハンドル４を回動することによりピン１６ｃが上下動方向に進退する。ここで上側と下側のピン１６ｃは互に反対方向に運動する。召合せ框２にはピン１６ｃから施錠又は引寄せ具への運動伝達部材としてスライドバー６が上下動自在に嵌合している。なお、上記運動伝達部材としては機構学上名称リンクであるロッドも用いられる。スライドバー６にはピン１６ｃが嵌合している。
【００１８】
ハンドル駆動装置Ａの本体７の背部には背板８が嵌め込まれている。本体７、背板８、本体７が当接する框２の部分の穴、スライドバー６の上下方向の長穴６ｂを挿通して小ねじ３が召合せ框２の他の部分にねじ込まれている。
【００１９】
本体７にはハンドル４が回動可能に取り付けられている。ハンドル４は召合せ框２と重なって直下と直上となるように１８０度回動する。ハンドル４の回動軸のジャーナル部４ａは本体７に圧入された軸受９に回転自在に嵌合している。ジャーナル部４ａに隣るハンドル４の四角軸部４ｂにはクラッチ１２が固定されている。クラッチ１２と軸受９間に縮設して皿ばね１１がジャーナル部４ａに挿入されている。
【００２０】
クラッチ１２が収容されている本体７の空間はクラッチ１２とはわずかに隙間をおいた円筒形凹部７ａと、円筒形凹部７ａから拡径した拡径円筒部７ｂとを有する。円筒形凹部７ａと拡径円筒部７ｂ間の段部はハンドル４の回転中心を中心とする端面カム部７ｃとなっている。
【００２１】
端面カム部７ｃは周方向の位置に対応して軸方向位置が次第に変化するらせん状である。このらせんは二重（符号７ｃ−１，７ｃ−２）であって周方向を二分して対称に設けられている（図４参照）。なお、このらせんの範囲は後述のようにシフタ１３とクラッチ１２の運動関係から図示よりせまい範囲でもよい。
【００２２】
拡径円筒部７ｂ又はクラッチ１２の円筒形外周部分に回動可能にシフタ１３の筒状部１３ａが嵌合している。筒状部１３ａは図５に示すように周方向を二等配して中空円筒の一部となっている。筒状部１３ａの軸方向の一端は本体７の端面カム部７ｃと面接触するらせん面のカム従動子部１３ｂとなっている。筒状部１３ａの軸方向の他端は軸直角の端板部１３ｃとなっている。端板部１３ｃにはシフタ１３の周方向を二等配して穴１３ｄが設けてある。端板部１３ｃにはハンドル４の回動中心と同心の円板部１３ｅを有する。筒状部１３ａ及び端板部１３ｃにわたってシフタ１３の周方向を二等配して当接面１３ｆが設けてある。当接面１３ｆはシフタ１３の軸心（ハンドル４の回転中心と一致する）を含む平面上にある。端板部１３ｃにはシフタ１３の周方向を二等配して当接面１３ｇが設けてある。この当接面１３ｇはシフタ１３の中心を含む平面上にある。
【００２３】
図６に示すようにクラッチ１２はハンドル４への取付部（本例では角穴）を中心に有する円板部１２ａを二等配してクラッチ爪部１２ｂが設けられている。クラッチ爪部１２ｂはクラッチ１２の回転中心を中心として対称な形状である。このクラッチ爪部１２ｂは軸方向で頂部が１つの段部を有して頂面１２ｃと、頂面１２ｃより一段下った肩面１２ｄを有する。クラッチ爪部１２ｂは肩面１２ｄのある側には爪部１２ｂの周方向を向いた当接面１２ｆがある。また、クラッチ爪１２は当接面１２ｆとは周方向の反対側に当接面１２ｅを有する。また、クラッチ爪部１２ｂは、頂面１２ｃと肩面１２ｄ間の段部が当接面１２ｇとなっている。各当接面１２ｅ，１２ｆ，１２ｇは夫々クラッチ１２の中心線を含む半径方向の平面上にある。
【００２４】
上記シフタ１３の二つの筒状部１３ａはクラッチ１２の一方の爪部１２ｂと他方の爪部１２ｂの周方向の間に位置する。シフタ１３の円板部１３ｅはクラッチ爪部１２ｂの円筒形内周１２ｈに嵌まり込んでいる。
【００２５】
上記において、シフタ１３の端板部１３ｃにおいての当接面１３ｆ，１３ｇ間扇形状部１３ｈのシフタ１３の中心に張る角度θ１は９０度、筒状部１３ａがシフタ１３の中心に張る角度θ２は４５度である。この扇形状部１３ｈはクラッチ爪部１２ｂと噛み合う被動クラッチ爪である。またクラッチ爪部１２ｂの当接面１２ｅ，１２ｆ間のクラッチ１２の中心に張る角度α１は９０度、当接面１２ｅ，１２ｇ間のクラッチ１２の中心に張る角度α２は４５度である。
【００２６】
クラッチ１２の爪部１２ｂの軸方向の高さは頂面１２ｃと肩面１２ｄ間の段差はシフタ１３の端板部１３ｃの厚さとほぼ等しい。本例ではシフタ１３の筒状部１３ａの内径はクラッチ１２の円板部１２ａの外周に軸方向及び周方向へ移動自在に嵌入する大きさである。シフタ１３の端板部１３ｃの扇形状部１３ｈがクラッチ爪部１２ｂの肩面１２ｄに重なって、シフタ１３の当接面１３ｇはクラッチ爪部１２ｂの当接面１２ｇに当接した状態において、シフタ１３の端板部１３ｃの図５における上面とクラッチ爪部１２ｂの頂面１２ｃはほぼ一平面上にある。扇形状部１３ｈはクラッチ爪部１２ｂの段の当接面１２ｇに当接面１３ｇが接した位置からシフタ１３はクラッチ１２に対して扇形状部１３ｈの当接面１３ｆ、クラッチ１２の他方のクラッチ爪部１２ｂの当接面１２ｅと当接する位置までの間４５度回転し得る。
【００２７】
ここで、本体７の端面カム部７ｃとシフタ１３のカム従動子部１３ｂのリフトは、クラッチ１２の肩面１２ｄとシフタ１３の扇形状部１３ｈが重なった状態、即ち、クラッチ爪１２ｂの段部当接面１２ｇにシフタ１３の当接面１３ｇが当接した状態とシフタ１３の扇形状部１３ｈが二つのクラッチ爪部１２ｂの当接面１２ｅ，１２ｆ間に嵌まり込んだ状態との軸方向移動距離である。
【００２８】
上記二つのクラッチ爪部１２ｂの当接面１２ｅ，１２ｆ間に嵌まり込んだ状態におけるシフタ１３の扇形状部１３ｈの嵌まり込みの深さに制限はない。即ち、後述するようにクラッチ爪部１２ｂの肩面１２ｄ側の当接面１２ｆ又は他の当接面１２ｅが周方向へ移動してシフタ１３に回転して伝える（本例では１３５度）間扇形状部１３ｈが二つのクラッチ爪部１２ｂの当接面１２ｅ，１２ｆ間に嵌まっており、残りの４５度のクラッチ１２の回転時は、シフタ１３の扇形状部１３ｈが一方のクラッチ爪１２ｂの当接面１２ｇと他方のクラッチ爪１２ｂの当接面１２ｅ間にあればよい。
【００２９】
なお、上記リフトは、本例では当接面１２ｅ，１２ｆ間の奥側（クラッチ爪部１２ｂの根本側）に深くシフタ１３の端板部１３ｃが入るように選定してある。
【００３０】
図１に示すように本体７の拡径円筒部７ｂに回転自在に円板状のばね受け１４が嵌合している。ばね受け１４の内周の穴の縁には円形のつば１４ａが設けてある。つば１４ａに嵌合する圧縮コイルばね１５がばね受け１４とシフタ１３の円板部１３ｅ間に縮設されている。ばね受け１４にはシフタ１３の穴１３ｄと同位置に穴１４ｂが設けられている。
【００３１】
ばね受け１４の穴１４ｂにはピン１６ａが嵌入している。また、シフタ１３の穴１３ｄにはピン１６ａが軸方向移動可能で且つ回転可能に嵌入している。該ピン１６ａは連結杆１６の一端に固定して設けられている。連結杆１６の他端には一体に滑り子１６ｂが設けてある。この滑り子１６ｂは円筒形であって本体７に設けた上下方向のガイド条溝７ｄに移動自在に嵌合している。滑り子１６ｂと同軸上にはピン１６ｃが連結杆１６と一体に形成されている。なお、上述のようにピン１６ａはばね受け１４、シフタ１３に嵌合していて回転に関し、一体的となっており、シフタ１３、ばね受け１４、圧縮コイルばね１５は一体的に回転する。そこで後述の作用の説明ではばね受け１４、圧縮コイルばね１５の回転作用の説明は省略する。
【００３２】
上記において、シフタ１３はクランクの機能を有し、シフタ１３、連結杆１６、滑り子１６ｂ、ガイド条溝７ｄでもって滑り子クランク機構を構成している。
【００３３】
ピン１６ｃはスライドバー６の穴６ａに夫々回転可能に嵌合している。また、ピン１６ｃは召合せ框２の上下方向の長穴２ａ，２ｂに移動自在に嵌合している。またピン１６ｃは背板８の上下方向の長穴であるガイド穴８ａに上下方向に移動自在に嵌合している。
【００３４】
図７は本体７に設けた端面カム部７ｃを示す。図面に直接角度を示したように、端面カム部７ｃの基準位置は、０度と１８０度の位置がリフト最大位置であり、二重のらせん７ｃ１，７ｃ２の内１つは０度から１８０度、他の１つは１８０度から３６０度へ夫々カム面を展開した図８に示すようにカム面は回転につれてリフトＨｍａｘよりＨｍｉｎのように低下するようになっている。
【００３５】
図９から図１３を用いて本実施の形態の作用を説明する。図９から図１３の（ａ），（ｃ）において点を多数施した部分はクラッチ爪部１２ｂの肩面１２ｄ、斜線を多数施した部分は同じく頂面１２ｃ、図９から図１３において（ｄ）のかすり模様を施した部分はシフタ１３を示す。図９から図１３は夫々の図において（ａ），（ｂ），（ｃ）はハンドル駆動装置背部より見る図、（ｄ）は（ｃ）の側面図である。また、（ａ）はクラッチ爪部、（ｂ）はシフタ、（ｃ）、（ｄ）は夫々クラッチ爪部とシフタの係合状態を示している。
【００３６】
図１はハンドル４が図２に示すように直下を向いている状態である。この状態ではシフタ１３の二つの穴１３ｄはほぼ垂直線上にある。従って、スライドバー６の穴６ａに嵌合している上下夫々の連結杆１６のピン１６ｃは互に最も離れた位置にあって上側のスライドバー６は上方の移動限度へ移動し、下側のスライドバー６は下方の移動限度へ移動している。これによって障子は施錠または引寄せ状態である。この状態ではクラッチ爪部１２ｂの肩面１２ｄ上にシフタ１３の扇形状部１３ｈが重なっており、シフタ１３は端面カム部７ｃ上のリフトＨｍａｘ側においてカム従動子部１３ｂが端面カム部７ｃに接している。また、シフタ１３の当接面１３ｇとクラッチ爪部１２ｂの当接面１２ｇが接している。なお、シフタ１３の扇形状部１３ｈとクラッチ爪部１２ｂの肩面１２ｄとは隙間がある。本実施の形態ではこの隙間は０．５ｍｍである。そして、扇形状部１３ｈの図９に見える面と頂面１２ｃはほぼ軸直角同一平面上にある。
【００３７】
図９においてハンドル４を図示矢印の反時計回りに回動すると、クラッチ１２は共に回動する。この回動によって、シフタ１３の当接面１３ｆとクラッチ爪部１２ｂの当接面１２ｅは離れているので直ちに当接しない。そこでハンドル４は空回りする。ハンドル４が４５度回動すると、シフタ１３の当接面１３ｆに対してクラッチ爪部１２ｂの当接面１２ｅは図１０に示すように当接する。このように図９の施錠または引寄せ状態からこれを解除する際、ハンドル４は空回りするだけでスライドバー６は不動である。
【００３８】
図１０からハンドル４を更に反時計回りに回動するとクラッチ爪部１２ｂはハンドル４と共に回動し、クラッチ爪部１２ｂの当接面１２ｅがシフタ１３の当接面１３ｆを押してシフタ１３を反時計回りに回動させる。そこでシフタ１３の穴１３ｄに入っている連結杆１６のピン１６ａはシフタ１３と共にシフタ１３の回動中心を中心として回動し連結杆１６を引くので連結杆１６の他端は滑り子１６ｂがガイド条溝１６ｄ中をハンドル軸側へ向って移動する。同時にピン１６ｃもハンドル軸側へ向って移動するのでスライドバー６はハンドル軸側へ向って移動する。スライドバー６のハンドル軸側への移動により障子の解錠又は引寄せの解除が行われる。
【００３９】
ハンドル４が図１０から４５度反時計回りに回動即ち、図９から９０度反時計回りに回動すると図１１に示すようになる。図１０から図１１に回動する際にシフタ１３は圧縮コイルばね１５によって図１において右方へ付勢されているのでシフタ１３のカム従動子部１３ｂは本体７の端面カム部７ｃに接触してハンドル軸の軸方向へ移動する。これによってシフタ１３は図１１の（ｄ）に示す位置となる。
【００４０】
なお、図１０からハンドル４が反時計回りに回動した直後にはシフタ１３の扇形状部１３ｈは一方のクラッチ爪１２の当接面１２ｅと他方のクラッチ爪１２の当接面１２ｆの間に丁度わずかに嵌まり込んだ状態となる。その後、シフタ１３はその扇形状部１３ｈがこの当接面１２ｅ，１２ｆ間に嵌合したまま当接面１２ｅ，１２ｆに沿って軸方向へ移動し乍ら回動する。
【００４１】
上述のようにハンドル４が斜め下方４５度を向いた位置においては施錠又は引寄せ部材は静摩擦力で上下框に設けた部材を加圧しているので、このハンドル装置を解錠方向へ向って操作する際最も大きな力を必要とする。そこでハンドル４が真下を向いた位置から４５度空転して、ハンドル４が斜め下方４５度の方向からハンドル４に手で力を加えるので力を入れ易い。
【００４２】
図１１の状態から更にハンドル４を反時計回りに回動を続けると図１２に示すようにシフタ１３は反時計回りに回動し乍ら、軸方向へ移動する。更にハンドル４を反時計回りに回動を続けると図１３に示すようになる。図１３の位置においてはハンドル４は真上を向いている。
【００４３】
図１１から図１３に到る間シフタ１３はピン１６ａを回動して連結杆１６を引いてピン１６ｃがハンドル軸側へ移動し施錠または引寄せが解除される。図１３の状態に対応して障子の開閉が可能となる。
【００４４】
次に施錠または引寄せを行う場合を説明する。障子を閉めた状態で施錠または引寄せがされていない状態でクラッチ１２とシフタ１３は図１３のようになっており、ハンドル４は真上を向いている。シフタ１３は召合せ框２から見て最も離れた位置、即ち本体７の端面カム部７ｃのリフト零の位置に対応した位置にカム従動子部１３ｂが接触している。上下のスライドバー６は上下のピン１６ｃが互に最も近い位置にあることにより、互に近寄っている。
【００４５】
図１３においてハンドル４を時計回りに回動するとクラッチ１２は共に同方向へ回動しクラッチ爪部１２ｂの当接面１２ｆはシフタ１３の当接面１３ｇを押して共に回動する。そしてシフタ１３のカム従動子部１３ｂは本体７の端面カム部７ｃ上を摺動し、シフタ１３は召合せ框２側へ向って軸方向へも移動する。シフタ１３の穴１３ｄに嵌まっているピン１６ａがシフタ１３の中心を中心として回動して連結杆１６を押すので連結杆１６の滑り子１６ｂはガイド条溝７ｄ中をハンドル軸から遠のく方向へ移動し、ピン１６ｃも共にハンドル軸から遠のく方向へ移動し、ピン１６ｃが嵌合しているスライドバー６をハンドル軸から夫々遠ざける。
【００４６】
このように図１３の状態から逆にハンドル４を回動すると、ハンドル４は解錠状態又は引寄せが解除された状態からハンドル４にはスライドバー６側からスライドバー６の摺動負荷等の負荷が加わるので、従来真上を向いたハンドル４を空回りがあるため急激に回動して途中から衝撃的に負荷をかけてハンドル装置を損傷したり、耐久性を損じたりする従来例の課題が解決される。
【００４７】
図１３から図１０までハンドル４を時計回りに回動して行くと、上述したと同様にクラッチ１２、シフタ１３はハンドル４と共に回動し、連結杆１６をハンドル軸から遠ざけスライドバー６を同じくハンドル軸側から遠ざける。よって施錠または引寄せが行われる。この際、シフタ１３はシフタ１３を押圧している圧縮コイルばね１５のばね力に抗して図１において左行し、図１０に示すように端板部１３ｃのハンドル４に近い側の面とクラッチ爪部１２ｂの肩面１２ｄと重なる。図１０の状態からハンドル４を時計回りにわずかでも回動すると端板部１３ｃがクラッチ爪部１２ｂの肩面１２ｄよりも上方（図１０（ｄ）において左方）に来る。
【００４８】
図１０の状態からハンドル４を時計回りに回動するとシフタ１３が停止したままクラッチ１２が回動して図９に示すようにクラッチ爪部１２ｂの当接面１２ｇが、シフタ１３の当接面１３ｇに当接する。図１０の状態から図９の状態までハンドル４は空転して、図９において真下を向く。
【００４９】
上述の実施の形態をまとめると共に補足すれば次のとおりである。
【００５０】
第１はハンドル４を回動することにより障子の框に設けた施錠又は引寄せ用の運動伝達部材であるスライドバー６を進退させるためのハンドル駆動装置において、ハンドル４と、前記運動伝達部材（６）と係合する出力部材である連結杆１６のピン１６ｃと、ハンドル４と出力部材（１６）間に設けられ、ハンドル４の回動範囲の一方の限度側にのみハンドル４が回動しても空転して前記出力部材（１６）にハンドル４から運動が伝達されず、ハンドル４の残りの回動範囲でハンドル４が回動することにより前記出力部材（１６）にハンドル４から運動が伝達される間欠運動機構と、を有することを特徴とするハンドル駆動装置である。
【００５１】
このハンドル駆動装置によれば、ハンドル回動範囲の一方の回動の限度側にのみハンドルが空転する領域があるため、使用者が力を入れてはならない側を空転しない側とすることにより、ハンドルを急激に回動してハンドル駆動装置に衝撃を与えて破損するおそれがなくなる。
【００５２】
第２は第１において、出力部材（１６）に運動が伝達されないハンドル４の回動角度はほぼ４５度であることにより、通常１８０度のハンドル回動範囲を有するものにおいて、ハンドル空転が必要な側にのみ適度の空転域を設けられる。
【００５３】
第３はハンドル４を回動することにより障子の堅方向の框２に設けた施錠又は引寄せ用の運動伝達部材であるスライドバー６を進退させるためのハンドル駆動装置において、
ａ．ハンドル４を回動可能に支持する穴を有する軸受９と、シフタ１３を従動子として設けたハンドル回転中心を中心とするカム手段の端面カム部７ｃと、連結杆１６の一端側に設けた滑り子１６ｂを案内する上下方向のガイド条溝７ｄと、框への取付部である小ねじ３を挿通する穴と、を有するハンドル駆動装置本体７と、
ｂ．框に沿って下向きの位置と框に沿って上向きの位置をとる前記ハンドル４と、
ｃ．前記ハンドル４の軸部４ｂに取り付けられ回転中心に対して対称な二本の爪部１２ｂを有し、該爪部１２ｂは夫々が頂部に一つの段部を有して軸方向の高さが異る二段形であって回転中心に張る二つの爪部１２ｂ間の中心角が爪部１２ｂ根本側で小さく爪部１２ｂ先端側の段部である当接面１２ｇの部分で大きいクラッチ１２と、
ｄ．前記クラッチ１２の二本の爪部１２ｂの根本側において二本の爪部１２ｂ間に丁度嵌入する被駆動クラッチ爪である扇形状部１３ｈと、前記端面カム部７ｃに接触するカム手段のカム従動子部１３ｂと、連結杆１６の一端側のピン１６ａの嵌入する穴１３ｄと、を有するシフタ１３と、
ｅ．前記シフタ１３を端面カム部７ｃへ向って付勢する付勢手段である圧縮コイルばね１５と、
ｆ．前記シフタ１３の穴１３ｄに嵌入するピン１６ａを一端側に有し、他端側にハンドル駆動装置本体７のガイド条溝７ｄに移動自在に嵌合する滑り子１６ｂ及びスライドバー６に嵌合する出力部材のピン１６ｃを有する連結杆１６と、を有し、前記シフタ１３の被駆動クラッチ爪部（１２ｈ）を前記カム手段によって前記クラッチ１２の爪部１２ｂ間において軸方向の異る位置において爪部１２ｂと係合するハンドル駆動装置である。
【００５４】
このハンドル駆動装置によればハンドル回動範囲の一方の回動の限度側にのみハンドル空転域を設けることができる。
【００５５】
第４は第３において前記カム手段はハンドル空転域に対応して被駆動クラッチ爪部であるシフタ１３の扇形状部１３ｈをクラッチ爪部１２ｂ先端側に位置せめ、ハンドル４の残りの片側の回動範囲でクラッチ爪部１２ｂの根本側に位置せしめる端面カム部７ｃを有する。これによって、二つの異るクラッチ爪部１２ｂの根本側の当接面１２ｅ，１２ｆ間にさえシフタ１３の扇形状部１３ｈがあればハンドル４の回転を連結杆１６へ伝達できるので端面カム７ｃの選択範囲が広い。
【００５６】
第５は第４において、端面カム７ｃは二重のらせん状のカム面を有する。これによってシフタ１３の軸方向移動を円滑に行える。
【００５７】
【発明の効果】
上述したとおり、本出願に係るハンドル駆動装置によれば、施錠又は引寄装置を操作するハンドルを錯覚して急激に解除から締り側へ回動することが防止される。その結果ハンドル駆動装置の破損を生ずるおそれがなくなる。
【図面の簡単な説明】
【図１】ハンドル駆動装置の縦断面図である。
【図２】図１の正面図である。
【図３】図１の背面図である。
【図４】本体の端面カムの斜視図である。
【図５】シフタの斜視図である。
【図６】クラッチの斜視図である。
【図７】本体の背面図である。
【図８】カム曲線を示す端面カムの展開図である。
【図９】クラッチとシフタの作用を示し、（ａ）はクラッチ背面図、（ｂ）はシフタの背面図、（ｃ）はクラッチとシフタの係合状態を示す背面図、（ｄ）は（ｃ）の側面図である。
【図１０】クラッチとシフタの作用を示し、（ａ）はクラッチ背面図、（ｂ）はシフタの背面図、（ｃ）はクラッチとシフタの係合状態を示す背面図、（ｄ）は（ｃ）の側面図である。
【図１１】クラッチとシフタの作用を示し、（ａ）はクラッチ背面図、（ｂ）はシフタの背面図、（ｃ）はクラッチとシフタの係合状態を示す背面図、（ｄ）は（ｃ）の側面図である。
【図１２】クラッチとシフタの作用を示し、（ａ）はクラッチ背面図、（ｂ）はシフタの背面図、（ｃ）はクラッチとシフタの係合状態を示す背面図、（ｄ）は（ｃ）の側面図である。
【図１３】クラッチとシフタの作用を示し、（ａ）はクラッチ背面図、（ｂ）はシフタの背面図、（ｃ）はクラッチとシフタの係合状態を示す背面図、（ｄ）は（ｃ）の側面図である。
【図１４】ハンドル駆動装置の外観を示す斜視図である。
【図１５】ハンドル駆動装置の出力部材を除いて見る斜視図である。
【図１６】従来例の正面図である。
【符号の説明】
Ａ…ハンドル駆動装置
１…ハンドル  １ａ…回動軸
２…召合せ框  ２ａ，２ｂ…長穴
３…小ねじ
４…ハンドル  ４ａ…ジャーナル部  ４ｂ…四角軸
６…スライドバー  ６ａ…穴  ６ｂ…長穴
７…ハンドル駆動装置本体  ７ａ…円筒形凹部  ７ｂ…拡径円筒部  ７ｃ…端面カム部  ７ｃ１，７ｃ２…らせん  ７ｄ…条溝
８…背板  ８ａ…ガイド穴
９…軸受
１１…皿ばね
１２…クラッチ  １２ａ…円板部  １２ｂ…クラッチ爪部  １２ｃ…頂面  １２ｄ…肩面  １２ｅ，１２ｆ，１２ｇ…当接面  １２ｈ…円筒形内周
１３…シフタ  １３ａ…筒状部  １３ｂ…カム従動子部  １３ｃ…端板部  １３ｄ…穴  １３ｅ…円板部  １３ｆ，１３ｇ…当接面  １３ｈ…扇形状部
１４…ばね受け  １４ａ…円形のつば  １４ｂ…穴
１５…圧縮コイルばね
１６…連結杆  １６ａ，１６ｃ…ピン  １６ｂ…滑り子  １６ｄ…ガイド条溝
【図１】
0004225443.tif 000002
【図２】
0004225443.tif 000003
【図３】
0004225443.tif 000004
【図４】
0004225443.tif 000005
【図５】
0004225443.tif 000006
【図６】
0004225443.tif 000007
【図７】
0004225443.tif 000008
【図８】
0004225443.tif 000009
【図９】
0004225443.tif 000010
【図１０】
0004225443.tif 000011
【図１１】
0004225443.tif 000012
【図１２】
0004225443.tif 000013
【図１３】
0004225443.tif 000014
【図１４】
0004225443.tif 000015
【図１５】
0004225443.tif 000016
【図１６】
0004225443.tif 000017